(57)【要約】腹部域と股下域とを有する第１の生地層と、股下域及び腹部域にて第１の生地層に固定される第２の生地層とを含む、婦人用下着。股下域は第１の脚開口部と第２の脚開口部とによって画成される。股下域及び腹部域にて第１の生地層に固定される第２の生地層は、第１の脚開口部の付近における第１の生地層と第２の生地層との間に第１の開口部を画成し、第２の脚開口部の付近における第１の生地層と第２の生地層との間に第２の開口部を画成する。下着の製造方法は、腹部域と股下域とを有する第１の生地層を形成するステップと、股下域及び腹部域にて第１の生地層に第２の生地層を固定するステップであって、その結果、第１の開口部と第２に開口部を画成する、固定するステップを含む。
2019526718.tif 000002
【特許請求の範囲】
【請求項１】
腹部域と股下域とを備える第１の生地層であって、前記股下域は第１の脚開口部と第２の脚開口部とによって画成される、前記第１の生地層と；
前記股下域及び前記腹部域にて前記第１の生地層に固定される第２の生地層であって、これにより、前記第１の脚開口部の付近における前記第１の生地層と前記第２の生地層との間に第１の開口部を画成し、前記第２の脚開口部の付近における前記第１の生地層と前記第２の生地層との間に第２の開口部を画成する、前記第２の生地層と；を備える、
婦人用下着。
【請求項２】
前記腹部域における前記第２の生地層の幅は、前記股下域における前記第２の生地層の幅を超える、
請求項１に記載の婦人用下着。
【請求項３】
前記第２の生地層は、着用時に前記股下域における垂直方向の引きを前記腹部域にかけて配分することで、前記第１の脚開口部及び前記第２の脚開口部における張力を解放するように構成される、
請求項１に記載の婦人用下着。
【請求項４】
前記第１の層は、胴中部域を備える、
請求項１に記載の婦人用下着。
【請求項５】
前記第１の層は、胸部域を備える、
請求項１に記載の婦人用下着。
【請求項６】
前記第１の層は、腕開口部を画成する肩ストラップを備える、
請求項４に記載の婦人用下着。
【請求項７】
前記第２の層は、実質的に台形状又は五角形状に整形される、
請求項１に記載の婦人用下着。
【請求項８】
前記第２の層は、実質的に山型状又は切頭山型状に整形される、
請求項１に記載の婦人用下着。
【請求項９】
前記第１の層は、レース部を備える、
請求項１に記載の婦人用下着。
【請求項１０】
前記第２の層は、メッシュ生地を備える、
請求項１に記載の婦人用下着。
【請求項１１】
前記第２の生地層は、前記股下域及び前記腹部域にて前記第１の生地層に縫着されて前記股下域における縫目と前記腹部域における縫目とを生成する、
請求項１に記載の婦人用下着。
【請求項１２】
前記股下域における前記縫目は連続した縫目であり、前記腹部域における前記縫目は連続した縫目である、
請求項１１に記載の婦人用下着。
【請求項１３】
前記腹部域における前記縫目の長さは、前記股下域における前記縫目の長さを超える、
請求項１１に記載の婦人用下着。
【請求項１４】
前記股下域は閉じ布片を備え、前記閉じ布片の第１の部分は前記閉じ布片の第２の部分と重なってこれに固定されて前記第１の脚開口部と前記第２の脚開口部とを画成する、
請求項１に記載の婦人用下着。
【請求項１５】
前記閉じ布片はかぎ留め閉じ布片であり、前記閉じ布片の前記第１の部分はかぎを備え、前記閉じ布片の前記第２の部分は輪穴を備える、
請求項１４に記載の婦人用下着。
【請求項１６】
前記閉じ布片の前記第１の部分は前記閉じ布片の前記第１の部分の自由端に向かって先細りで幅狭であり、前記閉じ布片の前記第２の部分は前記閉じ布片の前記第２の部分の自由端に向かって先細りで幅狭である、
請求項１４に記載の婦人用下着。
【請求項１７】
前記閉じ布片の前記第１の部分と前記閉じ布片の前記第２の部分とはフォールドオーバエラスティックで縁取りされ、それにより前記フォールドオーバエラスティックが、前記第１の脚開口部の一部と前記第２の脚開口部の一部とを画成する、
請求項１４に記載の婦人用下着。
【請求項１８】
前記閉じ布片の前記第１の部分と前記閉じ布片の前記第２の部分とはマイクロファイバフォールドオーバエラスティックで縁取りされ、それにより前記マイクロファイバフォールドオーバエラスティックが、前記第１の脚開口部の一部と前記第２の脚開口部の一部とを画成する、
請求項１７に記載の婦人用下着。
【請求項１９】
腹部域と股下域とを備える第１の生地層を形成するステップであって、前記股下域は、第１の脚開口部と第２の脚開口部とにより画成される、前記形成するステップと；
前記股下域及び前記腹部域にて前記第１の生地層に第２の生地層を固定するステップであって、それにより、前記第１の脚開口部の付近における前記第１の生地層と前記第２の生地層との間に第１の開口部を画成し、前記第２の脚開口部の付近における前記第１の生地層と前記第２の生地層との間に第２の開口部を画成する、前記固定するステップと；を備える、
婦人用下着の製造方法。
【請求項２０】
前記股下域及び前記腹部域にて前記第１の生地層に前記第２の生地層を固定する前記ステップは、第１の縫目と第２の縫目とをそれぞれ得るために、前記股下域及び前記腹部域にて前記第１の生地層に前記第２の生地層を縫着するステップを備える、
請求項１９に記載の方法。
【請求項２１】
前記第２の縫目の長さは、前記第１の縫目の長さを超える、
請求項２０に記載の方法。
【発明の詳細な説明】
【技術分野】
【０００１】
［関連出願の相互参照］
本願は、２０１６年８月３１日に出願された米国特許出願第６２／３８１，９８６号、及び２０１７年８月２１日に出願された米国特許出願第１５／６８１，９５１号の利益を請求し、両出願とも「GARMENT WITH INNER PANEL（内側布片を有する衣類）」と題され、それら両出願の全体が参照により本明細書に組み込まれる。
【０００２】
本発明は、腹部域から股下域まで延在する内側布片（インナーパネル）を有する衣類に関し、内側布片は、衣類の脚開口部と前中央部の張力（tension）及び引き力（pull）をマチ縫目のところで再配分するように設計されている。
【背景技術】
【０００３】
下着、特に、ブリーフやボディブリーファのような婦人用下着は、その着用時に、脚の周りと脚の前中央に圧覚点を生じることが多い。これらの圧覚点の発生は、設計と構造、そして、生地、及びこれらを作っている閉じ布片のような構成要素に起因する可能性がある。
【発明の概要】
【０００４】
第１の概括的な態様では、婦人用下着は腹部域及び股下域を有する第１の生地層を含み、第２の生地層は股下域及び腹部域にて第１の生地層に固定されている。股下域は第１の脚開口部と第２の脚開口部とにより画成されている。股下域及び腹部域にて第１の生地層に固定された第２の生地層は、第１の脚開口部付近における第１の生地層と第２の生地層との間に第１の開口部を、第２の脚開口部付近における第１の生地層と第２の生地層との間に第２の開口部を画成する。
【０００５】
第２の概括的な態様では、婦人用下着を製造する方法は、腹部域及び股下域を有する第１の生地層を形成し、第２の生地層を股下域及び腹部域にて第１の生地層に固定するステップを含む。股下域は、第１の脚開口部と第２の脚開口部とにより画成される。第２の生地層を股下域及び腹部域にて第１の生地層に固定するステップは、第１の脚開口部付近における第１の生地層と第２の生地層との間に第１の開口部を、第２の脚開口部付近における第１の生地層と第２の生地層との間に第２の開口部を画成する。
【０００６】
第１と第２の概括的な態様の実施は、以下の特徴を１つ以上含むことができる。
【０００７】
実施によっては、腹部域における第２の生地層の幅は、股下域における第２の生地層の幅を超える。実施例によっては、第２の層は実質的に台形状又は五角形状に成形される。実施例によっては、第２の層は実質的に山型状又は切頭山型状に整形される。第２の層はメッシュ生地を含むことができる。典型的には、第２の生地層は、着用時に股下域における垂直方向の引き力を腹部域にかけて配分することで、第１の脚開口部及び第２の脚開口部における張力を解放するように構成されている。
【０００８】
実施によっては、第１の層は胴中部域、胸部域、又は両方を含む。第１の層は、腕開口部を画成する肩ストラップを含んでよい。第１の層はレース部を含んでよい。
【０００９】
実施によっては、第２の生地層を股下域及び腹部域にて第１の生地層に縫着して、股下域における縫目と腹部域における縫目とを得ている。股下域における縫目と腹部域における縫目とは、両方とも連続した縫目であってよい。腹部域における縫目の長さは、典型的には、股下域における縫目の長さを超える。
【００１０】
実施によっては、股下域は閉じ布片を含み、閉じ布片の第１の部分は閉じ布片の第２の部分と重なり、これに固定されて、第１の脚開口部と第２の脚開口部とを画成する。閉じ布片はかぎ留め閉じ布片であってよく、閉じ布片の第１の部分はかぎ（ホック、フック）を含み、閉じ布片の第２の部分は輪穴（ループ）を含む。閉じ布片の第１の部分は、典型的には、閉じ布片の第１の部分の自由端に向かって先細りで幅狭になっており、閉じ布片の第２の部分は、典型的には、閉じ布片の第２の部分の自由端に向かって先細りで幅狭になっている。閉じ布片の第１の部分と閉じ布片の第２の部分とはフォールドオーバエラスティック（折り重ね伸縮素材）で縁取りされてもよく、フォールドオーバエラスティックが第１の脚開口部の一部と第２の脚開口部の一部とを画成する。閉じ布片の第１の部分と閉じ布片の第２の部分とはマイクロファイバフォールドオーバエラスティックで縁取りされてもよく、マイクロファイバフォールドオーバエラスティックが第１の脚開口部の一部と第２の脚開口部の一部とを画成する。
【００１１】
第２の概括的な態様の実施は以下の特徴を１つ以上含むことができる。
【００１２】
第２の生地層を股下域及び腹部域にて第１の生地層に固定するステップは、第２の生地層を股下域及び腹部域にて第１の生地層に縫着して、第１の縫目及び第２の縫目のそれぞれを得られるようにするステップを含むことができる。第２の縫目の長さは第１の縫目の長さを超えることができる。
【００１３】
ここで述べる下着の利点は、着用時に垂直方向の引きによって狭い股下域に生じた張力を広い腹部域へ再配分するという利点を含む。この張力再配分が着用者の脚に沿ってより均等な引きを提供するので、脚開口部における張力は減少又は除去され、共通する圧覚点は減少又は除去され、そして着用者を覆う面積が増えるとともに、より快適に、より美しくフィットする。
【図面の簡単な説明】
【００１４】
【図１】着用者の腹部域から股下域まで延在する内側布片を有する第１の例示の衣類の一部を示す。
【００１５】
【図２Ａ】図１の衣類の実施例の図である。
【図２Ｂ】図１の衣類の実施例の図である。
【図２Ｃ】図１の衣類の実施例の図である。
【図２Ｄ】図１の衣類の実施例の図である。
【００１６】
【図３】着用者の腹部域から股下域まで延在する内側布片を有する第２の例示の衣類の一部を示す。
【００１７】
【図４Ａ】図３の衣類の実施例の図である。
【図４Ｂ】図３の衣類の実施例の図である。
【図４Ｃ】図３の衣類の実施例の図である。
【図４Ｄ】図３の衣類の実施例の図である。
【発明を実施するための形態】
【００１８】
図１は、例示の衣類１００の、第１の生地層１０２と第２の生地層１０４とを有する前外側の部分を示す。衣類１００は、典型的には、ブリーフのような婦人用下着である。
【００１９】
第１の生地層１０２は、一緒に縫製又は他の方法で固定されて腹部域１０６と股下域（又はマチ範囲）１０８とを有するシェル（shell、外部構造）を形成する１種以上の生地を１枚以上含んでよい。場合によっては、第１の生地層１０２の一部はレースを含む。股下域１０８は脚開口部１１０によって画成される。場合によっては、第１の生地層１０２は胴中部域１１２を含む。
【００２０】
第２の生地層１０４は、衣類１００の外側からは見えないので、第１の生地層１０２に関連する位置を示すよう網掛け表示されている。第２の生地層１０４を、第１の生地層１０２にある生地と同じ又は異なる生地で形成してもよい。一の実施例では、第２の生地層１０４はメッシュ生地で形成される。第２の生地層１０４は腹部域１０６及び股下域１０８にて第１の生地層１０２に固定される。場合によっては、第２の生地層１０４は、腹部域１０６及び股下域１０８のそれぞれで、縫目１１４及び縫目１１６により第１の生地層に固定される。縫目全長に沿って第２の生地層１０４を第１の生地層１０２に固定するよう、縫目１１４及び縫目１１６は曲がった連続縫目であっても、角のある（角度のある）連続縫目であってもよい。縫目１１４及び縫目１１６は、第１の生地層１０２と第２の生地層１０６との間に開口部１１８を画成する。典型的には、開口部１１８は腹部域１０６から股下域１０８まで（例えば、縫目１１４から縫目１１６まで）延在するので、第２の生地層１０４は、第１の生地層１０２に対して「浮く」ことができる。開口部１１８における第２の生地層１０４の縁１２２は、快適さと伸縮性を増進するように仕上げでもよい。一の実施例では、縁１２２はフォールドオーバマイクロファイバエラスティック（マイクロファイバ折り重ね伸縮素材）で仕上げられる。
【００２１】
第２の生地層１０４は、典型的には、縫目１１４と１１６との間における第１の生地層１０２の長さと、第２の生地層１０４の長さとが実質的に同一になるようにサイズ取りされ、第１の生地層１０２に固定される。つまり、衣類１００の、縫目１１４と１１６との間の範囲は、一方の生地が他方の生地に対して大きく余ってしまうということはなく、普通は、平面上で平坦になる。腹部域１０６における第２の生地層１０４の幅（つまり、ライン１２０に沿う長さ）は、典型的には、股下域１０８における第２の生地層の幅を超える。したがって、縫目１１４の長さは、典型的には、縫目１１６の長さを超える。場合によっては、第２の生地層１０４は、図１に示すように、実質的に、切頭山型状に整形される。場合によっては（例えば、第２の生地層１０４がライン１２０まで延在する場合）、第２の生地層１０４は実質的に台形（例えば、等脚台形）状に整形される。
【００２２】
形状や開口部１１８の存在などの、第２の生地層１０４の造作（フィーチャ）により、着用時に、第１の生地層の狭い股下域における垂直方向の引きより生じた張力が、広い腹部域へ再配分される。この張力再配分により、着用者の両脚に沿ってより均等な引き力が提供されるので、脚開口部における張力は減少又は除去され、共通する圧覚点は減少又は除去され、そして着用者を覆う面積が増えるとともに、より快適に、より美しくフィットする。図１の垂直方向矢印は、股下域における垂直方向の引き力の、より幅広な腹部域にかけての配分を示す。
【００２３】
図２Ａ乃至図２Ｄは、図１に関連して述べる衣類の実施例を示す。具体的には、衣類２００はブリーフである。図２Ａは、腹部域２０６と、股下域２０８と、胴中部域２１２とを有する第１の生地層２０２を含む、衣類２００の前外側を示す。第１の生地層２０２はレース部２１３を含む。股下域２０８は脚開口部２１０を画成する。図２Ｂは、衣類２００の外側股下域２０８の拡大図を示す。図２Ｃは、第２の生地層２０４が腹部域２０６及び股下域２０８にて第１の生地層２０２に固定された、衣類２００の前内側を示す。第２の生地層２０４はメッシュ生地である。開口部２１８を強調するために、図中、第１の生地層２０２と第２の生地層２０４との間に手が描かれている。図２Ｄは、衣類２００の内側股下域２０８の拡大図を示す。衣類２００では、第２の生地層２０４が実質的に切頭山型状に整形されている。図２Ｄに示すように、縫目２１４及び縫目２１６は連続しており、腹部域２０６で第２の生地層２０４を第１の生地層２０２に固定する縫目２１４の長さは、股下域２０８で第２の生地層を第１の生地層に固定する縫目２１６の長さを超える。開口部２１８の縁２２２はフォールドオーバエラスティックに封入される。
【００２４】
図３は、例示の衣類３００の、第１の生地層３０２と第２の生地層３０４とを有する前外側部分を示す。衣類３００は、典型的にはボディブリーファのような婦人用下着である。
【００２５】
第１の生地層３０２は、一緒に縫製又は他の方法で固定されて腹部域３０６と股下域（又はマチ範囲）３０８とを有するシェルを形成する１種以上の生地を１枚以上含んでよい。場合によっては、第１の生地層３０２の一部はレースを含む。股下域３０８はここで述べているように閉じ布片を含み、脚開口部３１０によって画成される。第１の生地層３０２は、胴中部域３１２と、胸部域と、更に、腕開口部（不図示）を画成する肩ストラップとを含む。
【００２６】
第２の生地層３０４は、衣類３００の外側からは見えないので、第１の生地層３０２に関連するその位置を示すために網掛け表示されている。第２の生地層３０４を、第１の生地層３０２に在る生地と同じ又は異なる生地で形成してもよい。一の実施例では、第２の生地層３０４はメッシュ生地で形成される。第２の生地層３０４は、腹部域３０６及び股下域３０８にて第１の生地層３０２に固定される。場合によっては、第２の生地層３０４は、腹部域３０６及び股下域３０８のそれぞれにて、縫目３１４及び縫目３１６により第１の生地層に固定される。縫目全長に沿って第２の生地層３０４を第１の生地層３０２に固定するよう、縫目３１４及び縫目３１６は曲がった連続縫目であっても、角のある連続縫目であってもよい。縫目３１４及び３１６は、第１の生地層３０２と第２の生地層３０４との間に開口部３１８を画成する。典型的には、開口部３１８は腹部域３０６から股下域３０８まで（例えば、縫目３１４から縫目３１６まで）延在するので、第２の生地層３０４は、第１の生地層３０２に対して「浮く」ことができる。開口部３１８における第２の生地層３０４の縁３２２を、快適さと伸縮性を増進するように仕上げてもよい。一の実施例では、縁３２２はフォールドオーバマイクロファイバエラスティックで仕上げられる。
【００２７】
第２の生地層３０４は、典型的には、縫目３１４と３１６との間における第１の生地層３０２の長さと、第２の生地層３０４の長さとが実質的に同一になるようにサイズ取りされ、第１の生地層３０２に固定される。つまり、衣類３００の縫目３１４と３１６との間の範囲は、一方の生地が他方の生地に対して大きく余ってしまうということはなく、普通は、平面上で平坦になる。腹部域３０６における第２の生地層３０４の幅（つまり、ライン３２０に沿う長さ）は、典型的には、股下域３０８における第２の生地層の幅を超える。したがって、典型的に、縫目３１４の長さは縫目３１６の長さを超える。場合によっては、第２の生地層３０４は、図３に示すように、実質的に、切頭山型状に整形される。場合によっては（例えば、第２の生地層３０４がライン３２０まで延在している場合）、第２の生地層３０４は実質的に五角形状に整形される。
【００２８】
股下域３０８は閉じ布片３２４を含む。硬い芯地が無い閉じ布片３２４は軟かくしなやかであり、着用時に快適さをもたらす。閉じ布片３２４の第１の部分３２６は閉じ布片の第２の部分３２８と重なり、これに固定されて脚開口部３１０を画成する。典型的には、閉じ布片３２４はかぎ留め（かぎホック留め）閉じ布片であり、閉じ布片の第１の部分３２６は複数のかぎ（例えば、かぎ列）３３０を有し、閉じ布片の第２の部分３２８は複数の輪穴（例えば、１列以上の輪穴列）３３２を有する。着用時の擦りむきを減らすために、閉じ布片３２４の第１の部分３２６は自由端３３４に向かって先細りで幅狭になり、閉じ布片の第２の部分３２８は自由端３３６に向かって先細りで幅狭になる。閉じ布片３２４は、軟らかな伸縮材料（例えば、マイクロファイバーフォールドオーバエラスティック（マイクロファイバ折り重ね伸縮素材）で仕上げた縁３３８を有し、これが着用時に脚開口部３１０の一部を画成する。縁３３８は、使用中に鋭い縁が露出しないようにする。
【００２９】
形状や開口部３１８の存在などの、第２の生地層３０４の造作（フィーチャ）により、着用時に、第１の生地層３０２の狭い股下域３０８における垂直方向の引きにより生じた張力は、広い腹部域３０６へ再配分される。この張力再配分により、着用者の両脚に沿ってより均等な引き力が提供されるので、脚開口部における張力は減少又は除去され、共通する圧覚点は減少又は除去され、そして着用者を覆う面積が増えるとともに、より快適に、より美しくフィットする。図３の垂直方向の矢印は、股下域における垂直方向の引きの、より幅広の腹部域にかけての配分を示す。
【００３０】
図４Ａ乃至図４Ｄは、図３に関して述べる衣類の実施例の図を示す。具体的に言えば、衣類４００はボディブリーファである。図４Ａは衣類４００の前外側を示し、この前外側は、腹部域４０６と、股下域４０８と、胴中部域４１２と、胸部域４４０と、腕開口部４４４を画成する肩ストラップ４４２とを有する第１の生地層４０２を含む。第１の生地層４０２はレース部４１３を含む。閉じ布片４２４を有する股下域４０８は脚開口部４１０を画成する。図４Ｂは、衣類４００の、閉じ布片４２４を有する外側股下域４０８の拡大図を示す。図４Ｃは衣類４００の前内側を示し、この前内側は、腹部域４０６及び股下域４０８のそれぞれの縫目４１４及び縫目４１６にて第１の生地層４０２に固定された第２の生地層４０４と、閉じ布片４２４の第１の部分４２６及び第２の部分４２８とを有する。衣類４００では、第２の生地層４０４は実質的に山型状に整形されている。第２の生地層４０４はメッシュ生地である。縫目４１４及び縫目４１６は角度付きであり、連続している。腹部域４０６にて第２の生地層４０４を第１の生地層４０２に固定する縫目４１４の長さは、股下域４０８にて第２の生地層を第１の生地層に固定する縫目４１６の長さを超える。図４Ｄは、先細りの第１の部分４２６と先細りの第２の部分４２８とを有する閉じ布片４２４の拡大図を示す。開口部の縁４３８はフォールドオーバエラスティックに封入される。
【００３１】
ここで述べる衣類の製造方法は、腹部域と股下域とを備える第１の生地層を形成するステップを含み、ここで、股下域は、第１の脚開口部と第２の脚開口部とによって画成される。第２の生地層は、股下域及び腹部域にて第１の生地層に固定され、よって、第１の脚開口部の付近における第１の生地層と第２の生地層との間に第１の開口部を画成し、第２の脚開口部の付近における第１の生地層と第２の生地層との間に第２の開口部を画成する。股下域及び腹部域にて第２の生地層を第１の生地層に固定するステップは、股下域及び腹部域にて第２の生地層を第１の生地層に縫着することにより、第１の縫目と第２の縫目のそれぞれを得るステップを含むことができる。普通、第２の縫目の長さは第１の縫目の長さを超える。
【００３２】
ここでの記載に鑑み、様々な態様の更なる改変及び代替の実施の形態は、当業者にとっては容易に明らかになろう。したがって、ここでの説明は単なる例示として解釈するものとする。ここに図示し、説明する各形態は、実施の形態の例と見なすものとする。要素及び素材は、ここで例示し述べたものと置き換えることができ、部品及び工程を逆にすることができ、特定の特徴を単独で取り入れることができるが、これらはいずれも、その説明による便益を受けた当業者にとって容易に明らかになろう。付帯する特許請求の範囲で述べる主旨及び範囲から逸脱することなく、ここで述べた要素に変更を加えることができる。
【符号の説明】
【００３３】
１００，２００，３００，４００  衣類
１０２，２０２，３０２，４０２  第１の生地層
１０４，２０４，３０４，４０４  第２の生地層
１０６，２０６，３０６，４０６  腹部域
１０８，２０８，３０８，４０８  股下域
１１０，２１０，３１０，４１０  脚開口部
１１２，２１２，３１２，４１２  胴中部域
１１４，１１６，２１４，２１６，３１４，３１６，４１４，４１６  縫目
１１８，２１８，３１８  開口部
１２０，３２０  ライン
１２２，２２２，３２２，３３８，４３８  縁
２１３，４１３  レース部
３２４，４２４  閉じ布片
３２６，４２６  第１の部分
３２８，４２８  第２の部分
３３０  かぎ
３３２  輪穴
３３４，３３６  自由端
４４０  胸部域
４４２  肩ストラップ
４４４  腕開口部
【図１】
2019526718.tif 000003
【図２Ａ】
2019526718.tif 000004
【図２Ｂ】
2019526718.tif 000005
【図２Ｃ】
2019526718.tif 000006
【図２Ｄ】
2019526718.tif 000007
【図３】
2019526718.tif 000008
【図４Ａ】
2019526718.tif 000009
【図４Ｂ】
2019526718.tif 000010
【図４Ｃ】
2019526718.tif 000011
【図４Ｄ】
2019526718.tif 000012
【国際調査報告】
2019526718.tif 000013
2019526718.tif 000014
2019526718.tif 000015